(57)【要約】【課題】  キッチンのキャビネット等で調理具や食品等の各種収納物を収納する引出しの仕切構造において、複数の大型の物を簡易に区別して収納することのできる引出しの仕切構造を提供する。【解決手段】  三角柱の形状で係止溝８ａ、８ｂを前側面に有する支持片７を、引出し箱１のコーナーに地板６から同じ高さに配設し、平面視で対角線位置にある一対の前記係止溝８ａ、８ｂに仕切棒１１、１２を挿入して係止することにより、前記引出し箱１の内部を斜め方向に仕切る。【選択図】図１
2005095385.tif 000002
【特許請求の範囲】
【請求項１】
三角柱の形状で係止溝を前側面に有する支持片を引出し箱のコーナーに配設し、平面視で対角線位置にある一対の前記係止溝に仕切棒を挿入して係止することにより、前記引出し箱の内部を仕切ることを特徴とする引出しの仕切構造。
【請求項２】
前記支持片の前側面の上部及び下部に係止溝をそれぞれに設けてなることを特徴とする請求項１記載の引出しの仕切構造。
【請求項３】
前記引出し箱を構成する前板、右側板、後板、左側板のいずれかに係止溝を備えてなり、前記係止溝と前記支持片の係止溝とに前記仕切棒を挿入して係止することにより、前記引出し箱の内部を仕切ることを特徴とする請求項１又は請求項２記載の引出しの仕切構造。
【発明の詳細な説明】
【技術分野】
【０００１】
本発明は、キッチンのキャビネット等において調理具や食品等の各種収納物を収納する引出しの仕切構造に関するものである。
【背景技術】
【０００２】
従来の引出しの仕切構造の例として、図４に示すようなものがある。このものは、引出し箱１の側板の上部に一対のサイドギャラリー２１、２１を設け、この中央部にクロスギャラリー（仕切棒）２２を取り付けている。このクロスギャラリーで、引出し箱１を前後に仕切ることにより、複数の収納物を区別して収納することができる。この仕切構造を改良したものが、特開２００２−２２３８７６号公報や特開平９−５６５１０号公報に開示されている。
【特許文献１】特開２００２−２２３８７６号公報
【特許文献２】特開平９−５６５１０号公報
【発明の開示】
【発明が解決しようとする課題】
【０００３】
しかしながら、従来の引出しの仕切構造や、特開２００２−２２３８７６号公報や特開平９−５６５１０号公報に開示されている引出しの仕切構造では、引出し箱を前板又は後板に平行に仕切ることしかができなかった。このために、複数の大型の物を区別して収納することができなかった。
【０００４】
本発明は、かかる事由に鑑みてなしたもので、その目的とするところは、複数の大型の物を簡易に区別して収納することのできる引出しの仕切構造を提供することにある。
【課題を解決するための手段】
【０００５】
上記課題を解決するために、本願発明の引出しの仕切構造は、三角柱の形状で係止溝を前側面に有する支持片を引出し箱のコーナーに配設し、平面視で対角線位置にある一対の前記係止溝に仕切棒を挿入することにより、前記引出し箱の内部を仕切ることを特徴としている。
【発明の効果】
【０００６】
本願発明の引出しの仕切構造は、平面視で対角線位置にある一対の係止溝に仕切棒を挿入して係止することにより、引出し箱の内部を斜め方向に仕切っているので、フライパンや鍋のような大型の物を区別して、引出し箱の内部に収納することができる。
【発明を実施するための最良の形態】
【０００７】
（実施形態１）
本実施形態の引出しの仕切構造を図１、２に基づいて説明する。本実施形態の仕切構造は、図１に示すように、引出し箱１の内部のコーナーに４個の支持片７を配設し、この支持片７の係止溝８ａ、８ｂに仕切棒１１、１２を挿入して係止することにより、引出し箱１の内部を斜め方向に仕切る構造となっている。
【０００８】
引出し箱１は、キッチンのキャビネット等で、調理具や食品等の各種収納物を収納するものであり、図１に示すように、木やプラスチック製の前板２、右側板３、後板４、左側板５、地板６によって構成されている。支持片７は、図２に示すように、木やプラスチック製の直角三角柱の形状をしており、前側面に係止溝８ａ、８ｂが上下２箇所に設けられている。仕切棒１１、１２は、木やプラスチック製の棒であり、断面の大きさは係止溝８ａ、８ｂに挿入できる大きさであり、長さは引出し箱１の対角線の長さとなっている。
【０００９】
キャビネット等の製造所等では、引出し箱１の内部のそれぞれのコーナーであって地板６から同一の高さに、支持片７をあらかじめ固定しておく。固定方法としては、接着剤やネジ・釘等による方法があげられ、容易にはずれないように固定しておく。一方、キャビネット等の使用者は、引出し箱１の内部の対角線位置のコーナーに固定されている一対の支持片７、７のそれぞれの係止溝８ａ又は８ｂに、仕切棒１１を挿入して係止する。こうして、引出し箱１の内部を対角線状に２箇所に仕切ることができる。このようにすることで、使用者は、フライパンや鍋のような大型の物を区別して、引出し箱１の内部に収納することができる。
【００１０】
さらに、他の対角線位置のコーナーに固定されている一対の支持片７、７の係止溝８ａ又は８ｂに仕切棒１２を挿入して係止することにより、引出し箱１の内部をさらに２箇所に仕切ることができる。つまり、このように対角線状に仕切ることにより２本の仕切棒１１、１２により４箇所に仕切ることができる。このようにすることにより、最も使用頻度の高い収納物を前板２の近くに収納し、次に使用頻度の高い収納物を右側板３、左側板５の近くの２箇所に収納し、最も使用頻度の低い収納物を後板４の近くに収納することができる。また、三角柱形状のような特殊形状をした物を効率的に収納することもできる。
【００１１】
ここで、２本の仕切棒１１、１２を固定する場合、一方の仕切棒１１を支持片７、７の上部の係止溝８ａに挿入して、他の仕切棒１２を支持片７、７の上部の係止溝８ｂに挿入することにより、仕切棒１１、１２を立体的に交差して配置することができる。なお、それぞれの支持辺の係止溝を１箇所として、支持片を固定する位置（地板からの高さ）を別々とすることによっても、２本の仕切棒を取り付ける仕切構造を提供することができる。
【００１２】
本実施形態の引出しの仕切構造は、三角柱の形状で係止溝を前側面に有する支持片を引出し箱のコーナーに配設し、平面視で対角線位置にある一対の前記係止溝に仕切棒を挿入して係止することにより、前記引出し箱の内部を仕切っているので、フライパンや鍋のような大型の物を区別して、引出し箱の内部に収納することができる。
【００１３】
また、支持片の前側面に複数の係止溝を上下に配置してなるので、対角線状に仕切棒を立体交差して配設することでき、２本の仕切棒で引出し箱の内部を４箇所に仕切ることができる。
（実施形態２）
本実施形態の引出しの仕切構造を図３に基づいて説明する。本実施形態の仕切構造は、実施形態１のものと略同じであるが、図３に示すように、前板２、右側板３、後板４、左側板５にそれぞれ係止溝を配設していることが相違している。
【００１４】
まず、実施形態1と同様に、キャビネット等の製造所等では、係止溝８ａ、８ｂを有する支持片７は、引出し箱１の内部のそれぞれのコーナーであって地板６から同一の高さに固定しておく。また、前板２と後板４には、上部の係止溝８ａと同じ高さに、係止溝９ａを引出し箱１の内部側に設けておく。一方、また、右側板３と左側板５には、下部の係止溝８ｂと同じ高さに、係止溝９ｂを引出し箱１の内部側に設けておく。
【００１５】
一方、キャビネット等の使用者は、前板２と左側板５とのコーナーに固定されている支持片７の下部の係止溝８ｂと後板４の係止溝９ａに仕切棒１３を挿入して係止する。次に、前板２と左側板５とのコーナーに固定されている支持片７の上部の係止溝８ａと後板４の係止溝９ａに仕切棒１４を挿入して係止する。さらに、後板４と右側板３とのコーナーに固定されている支持片７の上部の係止溝８ａと前板２の係止溝９ａに仕切棒１５を挿入して係止する。こうすることにより、引出し箱１の内部を６箇所に仕切ることができ、多数の収納物を使用頻度に分けて収納することができる。ここで、仕切棒１４、１５を係止するためには、前板２又は後板４の係止溝９ａに単に挿入しているだけでもよいが、必要に応じて、各種の仕切棒１４、１５に対してストッパーを設けることにより、仕切棒１４、１５を外れにくくすることができる。ストッパーの例としては、係止溝９ａの所定位置に穴を穿設しておく構成や、仕切棒１４、１５の先端に弾力性のある係止片を取り付けておく構成があげられる。
【００１６】
また、本実施形態の仕切構造以外の例としては、支持片の下部の係止溝と、右側板又は左側板の係止溝とに仕切棒を取り付ける構造があげられる。
【００１７】
本実施形態の引出しの仕切構造は、引出し箱を構成する前板、右側板、後板、左側板のいずれかに係止溝を備えてなり、これらのいずれかの係止溝と支持片の係止溝とに仕切棒を挿入して係止することにより、引出し箱の内部を仕切ることを特徴としているので、引出し箱の内部を仕切る自由度が向上して、多数の収納物を使用頻度に分けて収納することができるようになる。
【図面の簡単な説明】
【００１８】
【図１】実施形態１の引出し箱の図面であり、（ａ）は斜視図で、（ｂ）は上面図である。
【図２】実施形態１の支持片の斜視図である。
【図３】実施形態２の引出し箱の図面であり、（ａ）は斜視図で、（ｂ）は上面図である。
【図４】従来例の引出し箱の斜視図である。
【符号の説明】
【００１９】
１          引出し箱
２          前板
３          右側板
４          後板
５          左側板
６          地板
７          支持片
８ａ、８ｂ  係止溝
９ａ、９ｂ  係止溝
１１〜１５  仕切棒
【図１】
2005095385.tif 000003
【図２】
2005095385.tif 000004
【図３】
2005095385.tif 000005
【図４】
2005095385.tif 000006